(57)【要約】【課題】領域間の境界付近におけるムラを目立ち難くする。【解決手段】ＬＥＤユニット１５は、基板１８と、基板１８上に設置された多数個のＬＥＤ１９と、ＬＥＤ１９群を点灯させるとともに調光可能な調光点灯回路２０とを備える。基板１８は、全ＬＥＤ１９の配設領域を分割する複数の領域２２に対応して分離されており、各領域２２及び各基板１８に対応付けてＬＥＤ１９群がグループ化されている。グループ化された各ＬＥＤ１９群は、互いに異なる調光点灯回路２０によって点灯される。ＬＥＤ１９群のうち、各領域２２の境界付近に存するＬＥＤ１９については、そのＬＥＤ１９から照射される光の中心軸が隣接する領域２２側へ傾けられている。【選択図】図３
2009087538.tif 000002
【特許請求の範囲】
【請求項１】
所定の面内に配置された多数の光源と、
これらの光源群を前記面内に設定した複数の領域に対応付けてグループ化して各領域に属する光源群を点灯する点灯回路とを備え、
前記光源群のうち、前記各領域の境界付近に存する光源については、その光源から照射される光の中心軸が隣接する領域側へ傾けられている光源ユニット。
【請求項２】
前記光源は、点状の発光素子とされている請求項１記載の光源ユニット。
【請求項３】
前記光源群のうち、前記各領域の境界線に面して配される前記光源は、前記中心軸が隣接する領域側へ傾けられている請求項２記載の光源ユニット。
【請求項４】
前記各領域の境界付近に存するとともに互いに異なる前記点灯回路により点灯される前記各光源は、前記中心軸が互いに相手の領域側へ傾けられている請求項２または請求項３記載の光源ユニット。
【請求項５】
前記各領域の境界付近に存するとともに互いに異なる前記点灯回路により点灯される前記各光源における前記中心軸の傾き角度がほぼ同一に設定されている請求項４記載の光源ユニット。
【請求項６】
前記各光源が基板上に設置されるとともに、この基板における光源装着面には、前記各領域の境界付近に存する光源を傾けた姿勢で装着可能な傾斜装着面が形成されている請求項１ないし請求項５のいずれかに記載の光源ユニット。
【請求項７】
前記各領域の境界付近に存する前記光源は、光を発する発光体と、この発光体に対して照射側に配されるレンズとを備えており、前記レンズが非対称形状とされることで、前記中心軸が傾けられている請求項１ないし請求項５のいずれかに記載の光源ユニット。
【請求項８】
前記各領域の境界付近に存する前記光源は、光を発する発光体と、この発光体に対して照射側とは反対側に配されるとともに光を反射する反射体とを備えており、前記反射体が非対称形状とされることで、前記中心軸が傾けられている請求項１ないし請求項５のいずれかに記載の光源ユニット。
【請求項９】
前記各領域は、前記面を格子状に分割する設定とされるとともに、各領域間の格子状をなす境界付近に存する前記光源は、その光源から照射される光の中心軸が隣接する領域側へ傾けられている請求項１ないし請求項８のいずれかに記載の光源ユニット。
【請求項１０】
前記点灯回路は、前記光源から照射される光を受光する受光素子を備えるとともに、受光素子からの信号に基づいて前記各グループに属する光源群の発光状態が各グループ間で均一化するように前記光源群を駆動する調光機能を有している請求項１ないし請求項９のいずれかに記載の光源ユニット。
【請求項１１】
前記受光素子は、前記各グループ毎に対応して複数設けられている請求項１０記載の光源ユニット。
【請求項１２】
前記点灯回路は、前記各グループに属する光源群を順次に発光させて各光源群の発光量を前記受光素子により検出し、その検出値を、前記受光素子と発光させた前記光源群との間の距離に応じて補正した信号に基づいて前記光源群を制御するようにした請求項１０または請求項１１記載の光源ユニット。
【請求項１３】
前記受光素子は、前記各光源に対してその照射側に対向して配される光学部材に取り付けられている請求項１０ないし請求項１２のいずれかに記載の光源ユニット。
【請求項１４】
請求項１ないし請求項１３のいずれかに記載された光源ユニットと、前記光源ユニットを収容するケースとを備えている照明装置。
【請求項１５】
請求項１４に記載された照明装置と、表示パネルとを備えている表示装置。
【発明の詳細な説明】
【技術分野】
【０００１】
本発明は、光源ユニット、及びそれを用いた照明装置、及びそれを用いた表示装置に関する。
【背景技術】
【０００２】
液晶表示装置は、表示パネルとして非自発光の液晶パネルを用いているため、外部光源としてバックライトを必要としている。バックライトの光源としては、放電管である冷陰極管を用いるのが一般的であるが、近年では色再現性の向上などを目的としてＬＥＤ（Ｌｉｇｈｔ  Ｅｍｉｔｔｉｎｇ  Ｄｉｏｄｅ）を用いることが提案されている。
【０００３】
ＬＥＤを光源としたバックライトの一例として特許文献１に記載されたものが知られている。この種のバックライトは、大まかには、液晶パネル側の面が開口した箱型をなすケースと、ケース内に収容される基板と、基板上に設置された多数のＬＥＤとから構成される。ここで、ＬＥＤは、点状の光源であるため、バックライト全体の輝度分布が均一になるように、基板の表面上において例えば格子状に並んだ配置とされる。
【特許文献１】特開２００２−３１１４１２公報
【発明の開示】
【発明が解決しようとする課題】
【０００４】
ところで、大画面の液晶表示装置では、使用するＬＥＤの数も膨大なものとなるため、仮に全てのＬＥＤを単一の点灯回路により点灯させるようにしたのでは、高価な点灯回路が必要になるなどの問題がある。そこで、基板を複数の領域に分割し、各領域に対応したＬＥＤ群をグループ化し、それら各グループに属するＬＥＤ群をそれぞれ異なる点灯回路によって点灯させることが考えられる。
【０００５】
ところが、例えば基板やケースの温度分布に偏りがある場合には、各領域間に生じる温度差に起因して各領域のＬＥＤ群の輝度や色度に差が生じるおそれがある。それに対応するには、各領域に対応して受光素子をそれぞれ設けて、各グループのＬＥＤ群の輝度や色度を検出するようにし、各受光素子からの信号に基づいて各グループのＬＥＤ群の輝度や色度を制御するよう各点灯回路に調光機能を持たせることが考えられる。
【０００６】
しかしながら、上記したフィードバック制御による調光を行ったとしても、隣接する領域間において各ＬＥＤ群の輝度や色度の格差が僅かながらも生じてしまうことがあり、それを完全に解消するのは困難であった。そして、各ＬＥＤ群の輝度や色度の格差に起因して隣接する領域間の境界付近のムラが目立つことが懸念されるところであった。
【０００７】
本発明は上記のような事情に基づいて完成されたものであって、領域間の境界付近におけるムラを目立ち難くすることを目的とする。
【課題を解決するための手段】
【０００８】
本発明の光源ユニットは、所定の面内に配置された多数の光源と、これらの光源群を前記面内に設定した複数の領域に対応付けてグループ化して各領域に属する光源群を点灯する点灯回路とを備え、前記光源群のうち、前記各領域の境界付近に存する光源については、その光源から照射される光の中心軸が隣接する領域側へ傾けられている。
【０００９】
このようにすると、面内の各領域に対応してグループ化された光源群は、対応する各点灯回路によって点灯される。このとき、各グループの光源群の発光状態に格差が生じてしまうことがある。ところが、本発明では光源群のうち各領域の境界付近に存する光源について、その光源から照射される光の中心軸を隣接する領域側へ傾けるようにしたから、その光源による照射領域と、隣接するグループの光源群による照射領域との重なり範囲を増やすことができる。これにより、各領域の境界付近におけるムラをぼかすことができる。
【００１０】
本発明の実施態様として、次の構成が好ましい。
（１）光源を点状の発光素子とする。これにより、光源として点状の発光素子を用いるときは、仮に線状の光源を用いた場合と比較して使用する光源の数が多くなり勝ちであるので、特に有効である。
【００１１】
（２）光源群のうち、各領域の境界線に面して配される光源を、中心軸が隣接する領域側へ傾くようにする。これにより、境界付近に生じるムラをより有効にぼかすことができる。
【００１２】
（３）各領域の境界付近に存するとともに互いに異なる点灯回路により点灯される各光源を、中心軸が互いに相手の領域側へ傾くようにする。これにより、隣接するグループの光源群同士による照射領域の重なり範囲をより拡張できるので、境界付近に生じるムラをより有効にぼかすことができる。
【００１３】
（４）各領域の境界付近に存するとともに互いに異なる点灯回路により点灯される各光源における中心軸の傾き角度を、ほぼ同一に設定する。これにより、隣接するグループの光源群同士による照射領域の重なり範囲を、境界線を挟んで対称にできるので、境界付近に生じるムラをさらに有効にぼかすことができる。
【００１４】
（５）各光源が基板上に設置されるとともに、この基板における光源装着面には、各領域の境界付近に存する光源を傾けた姿勢で装着可能な傾斜装着面が形成されているとする。これにより、光源自体の構造を変更することなく、その光源における光の中心軸を傾けることができる。
【００１５】
（６）各領域の境界付近に存する光源は、光を発する発光体と、この発光体に対して照射側に配されるレンズとを備えており、レンズが非対称形状とされることで、中心軸が傾けられているとする。このように、レンズの形状を非対称形状とすることで、光源における光の中心軸を傾けることができる。
【００１６】
（７）各領域の境界付近に存する光源は、光を発する発光体と、この発光体に対して照射側とは反対側に配されるとともに光を反射する反射体とを備えており、反射体が非対称形状とされることで、中心軸が傾けられているとする。このように、反射体の形状を非対称形状とすることで、光源における光の中心軸を傾けることができる。
【００１７】
（８）各領域は、面を格子状に分割する設定とされるとともに、各領域間の格子状をなす境界付近に存する光源を、その光源から照射される光の中心軸が隣接する領域側へ傾くようにする。これにより、各領域の境界が格子状になるものでは、境界付近のムラを目立ち易くなるので、特に有効である。
【００１８】
（９）点灯回路は、光源から照射される光を受光する受光素子を備えるとともに、受光素子からの信号に基づいて各グループに属する光源群の発光状態が各グループ間で均一化するように光源群を駆動する調光機能を有する。これにより、光源群の発光状態に基づいて受光素子から信号が点灯回路に出力され、この信号に基づいて各点灯回路は、各光源群を制御して各グループ間における発光状態の均一化を図る。もって、境界付近にムラが発生するのを抑制することができる。
【００１９】
（１０）受光素子は、各グループ毎に対応して複数設けられている。これにより、各グループ毎に設けた受光素子により各光源群の発光状態を個別に検出することができる。
【００２０】
（１１）点灯回路は、各グループに属する光源群を順次に発光させて各光源群の発光量を受光素子により検出し、その検出値を、受光素子と発光させた光源群との間の距離に応じて補正した信号に基づいて光源群を制御する。これにより、仮に各グループ毎に受光素子を配置した場合と比較すると、受光素子の数を削減でき、もって低コスト化を図ることができる。
【００２１】
（１２）受光素子は、各光源に対してその照射側に対向して配される光学部材に取り付けられているとする。これにより、光学部材に取り付けた受光素子により光源群の発光状態を良好に検出することができる。
【発明の効果】
【００２２】
本発明によれば、隣接する領域間の境界付近におけるムラを目立ち難くすることができる。
【発明を実施するための最良の形態】
【００２３】
＜実施形態１＞
本発明の実施形態１を図１ないし図５によって説明する。本実施形態では、液晶表示装置１０のバックライト１２に用いられるＬＥＤユニット１５について例示する。なお以下では、図１に示す上側を表側、下側を裏側とする。
【００２４】
まず、液晶表示装置１０の全体の概要を説明する。液晶表示装置１０は、大まかには、図１に示すように、横長形状（略矩形）をなす液晶パネル１１と、外部光源であるバックライト１２とを備え、これらが液晶表示装置１０の表示領域を取り囲む枠状に形成されたベゼル１３などにより一体的に保持されるようになっている。このうち、液晶パネル１１は、一対の透明な（透光性を有する）ガラス基板１１ａが所定のギャップを空けた状態で張り合わせられるとともに、両ガラス基板１１ａ間に電圧印加に伴って光学特性が変化する物質である液晶１１ｂが封入された構成とされる。一方のガラス基板１１ａには、互いに直交するソース配線とゲート配線とに接続されたスイッチング素子（例えばＴＦＴ）が、他方のガラス基板１１ａには、Ｒ，Ｇ，Ｂの画素電極がそれぞれマトリックス状に設けられている。また両ガラス基板１１ａの外面には、偏光板１１ｃがそれぞれ貼り付けられている。
【００２５】
次に、バックライト１２について説明する。バックライト１２は、大まかには、上面側（液晶パネル１１側）が開口した矩形の略箱型をなすケース１４と、ケース１４内に配されるＬＥＤユニット１５と、ケース１４の開口部側に取り付けられた複数の光学部材１６とから構成される。
【００２６】
ケース１４は、金属製とされるとともに、略矩形状をなす底部１４ａの周縁から側部１４ｂを立ち上げた構成とされる。側部１４ｂは、底部１４ａに対して鈍角の傾斜角度をもって連結されており、ケース１４は開口部側ほど間口が拡がる形状となっている。各光学部材１６は、互いに積層された状態でケース１４の開口部に設けられた受け部１４ｃに載せられるとともに、その表側からケース１４に対して取り付けられるフレーム１７によって保持されるようになっている。フレーム１７は、金属製とされるとともに、液晶表示装置１０の表示領域を取り囲む枠状に形成されている。
【００２７】
各光学部材１６は、図１に示す下側（裏側）から拡散板、拡散シート、レンズシート、輝度上昇シートの順に積層され、ケース１４とフレーム１７との間に挟み込まれた状態で保持されるようになっている。各ＬＥＤ１９から発せられた光は、各光学部材１６を透過することで、面状に変換されるとともに効率的に液晶パネル１１へと照射されるようになっている。
【００２８】
次に、ＬＥＤユニット１５について詳細に説明する。ＬＥＤユニット１５は、ケース１４内に収容される基板１８と、基板１８上に設置された多数個の光源であるＬＥＤ１９と、ＬＥＤ１９群を点灯させるとともに調光可能な調光点灯回路２０とを備える。
【００２９】
基板１８の表面（液晶パネル１１側の面）には、図１及び図２に示すように、多数個のＬＥＤ１９が液晶パネル１１やケース１４の短辺方向及び長辺方向（縦方向及び横方向）に沿って格子状（マトリックス状、碁盤目状）に整列して配置されている。各ＬＥＤ１９間の間隔は、ほぼ等間隔に設定されており、基板１８の表面に対するＬＥＤ１９群の面密度がほぼ均一になっている。この基板１８の表面には、各ＬＥＤ１９の接続端子に対して接続される導電路（図示せず）が所定のパターンで配索されている。また、基板１８の表面におけるＬＥＤ１９の装着箇所から外れた位置には、光学部材１６を支持するための支持部２１が複数本設けられている。支持部２１は、光学部材１６側へ突出するとともに先細り状をなす断面円形の柱状体であり、各支持部２１間の間隔がほぼ等間隔に設定されている。
【００３０】
ＬＥＤ１９は、点状をなす発光素子であり、大まかには発光体である図示しないチップ（半導体素子）を内蔵した発光部と、発光部から導出した接続端子とを備える。発光部内には、Ｒ（赤色発光），Ｇ（緑色発光），Ｂ（青色発光）の３種類のチップが備えられており、接続端子は各チップに対応して３対設けられている。このＬＥＤ１９では、発光色が異なる３つのチップを発光させることにより、全体として発光色が白色となる。また基板１８の導電路は、各接続端子対に対応したものが３本配索されている。
【００３１】
ＬＥＤ１９からの光の照射領域は、図３の破線に示すように、チップを頂点として所定の角度範囲をもった略錐状に拡がるとともに、その照射方向と直交する面で切断したときの断面がほぼ円形になる設定とされる。このＬＥＤ１９からの光の照射領域の中心を貫く中心軸Ａ（図３にて一点鎖線で示す）は、基板１８におけるＬＥＤ装着面１８ａが水平な面であれば、鉛直方向（光学部材１６や液晶パネル１１の面方向と直交する方向）を向く設定とされる。このＬＥＤ１９における配光分布は、中心軸Ａと一致した方向の光強度が最も大きく、この中心軸Ａから照射領域の端側（破線）に行くに連れて（中心軸Ａからの角度範囲が拡がるに連れて）次第に光強度が小さくなる傾向にある。また、ＬＥＤ１９における軸線と、照射される光の中心軸Ａとはほぼ一致している。
【００３２】
上記した基板１８は、図２に示すように、ケース１４の底部１４ａ（全ＬＥＤ１９の配設領域）を分割する複数の領域２２に対応して互いに分離されている。そして、各領域２２に対応した各基板１８上に装着されたＬＥＤ１９群がグループ化されるとともに、そのグループ化された各ＬＥＤ１９群が、互いに異なる（独立した）調光点灯回路２０によって点灯されるようになっている。各領域２２に対応した各基板１８は、ケース１４の底部１４ａを格子状にほぼ均等に分割するよう、それぞれ横長の矩形状に形成されており、各領域２２間の境界線２３は、ケース１４の底部１４ａにおける縦方向及び横方向に沿って延びるとともに格子状をなしている（図２及び図４にて二点鎖線で示す）。本実施形態では、ケース１４の底部１４ａは、縦に３つ、横に３つの合計９つの領域２２（基板１８）に分割されている。
【００３３】
調光点灯回路２０は、次のような構成とされる。調光点灯回路２０は、図５に示すように、互いに直列に接続されたＬＥＤ１９群の一端側に接続される電源２４と、ＬＥＤ１９群の他端側に接続されるトランジスタ２５と、トランジスタ２５に接続された駆動回路２６と、駆動回路２６に接続された受光信号処理回路２７と、受光信号処理回路２７に接続された受光素子２８とを備える。
【００３４】
受光素子２８により対応する領域２２のＬＥＤ１９群から発せられる光を検出すると、受光素子２８から受光信号処理回路２７へ信号が出力され、受光信号処理回路２７にて処理された信号が駆動回路２６へと出力される。入力された信号に基づいて駆動回路２６によってＬＥＤ１９に対して供給する電流量が調整されることで、ＬＥＤ１９群の輝度や色度を制御できる。
【００３５】
詳しくは、各ＬＥＤ１９群の輝度や色度が均一になるよう制御するには、以下に示す２通りの方法がある。第１には、受光素子２８を、受光した白色光をＲ，Ｇ，Ｂに分解するフィルターを有する構成としておく。そして、ＬＥＤ１９群を白色発光させてその光を上記構成の受光素子２８により検出し、Ｒ，Ｇ，Ｂの各受光量に基づいてそのＬＥＤ１９群におけるＲ，Ｇ，Ｂの各発光素子に対して供給する電流量を駆動回路２６により調整することで、そのＬＥＤ１９群の輝度及び色度を制御し、もって各ＬＥＤ１９群間の輝度及び色度の均一化を図る。
【００３６】
第２には、ＬＥＤ１９群におけるＲ，Ｇ，Ｂの発光素子を色毎に順次に点灯させ、各色の光を広帯域の受光素子２８により順次に検出する。そして、Ｒ，Ｇ，Ｂの各受光量に基づいてそのＬＥＤ１９群におけるＲ，Ｇ，Ｂの各発光素子に対して供給する電流量を駆動回路２６により調整することで、そのＬＥＤ１９群の輝度及び色度を制御し、もって各ＬＥＤ１９群間の輝度及び色度の均一化を図る。なお、受光素子２８は、光学部材１６のうち、ＬＥＤ１９と照射側（ケース１４とは反対側）に対向して配されるもの（拡散板）におけるＬＥＤ１９との対向面に取り付けられるとともに、各領域２２に対応して１つずつ設けられており、各領域２２のほぼ中央位置に設置されている（図２では一点鎖線で示す）。
【００３７】
さて、上記したようにグループ化されたＬＥＤ１９群のうち、各領域２２の境界付近に存するＬＥＤ１９は、照射される光の中心軸Ａが隣接する領域２２側へ傾けられている。詳しくは、基板１８におけるＬＥＤ装着面１８ａであって、ＬＥＤ１９群のうち隣接する領域２２間の境界線２３に面しないＬＥＤ１９が装着される部分については、ケース１４の底部１４ａや光学部材１６とほぼ平行な水平面２９とされているのに対し、隣接する領域２２間の境界線２３に面するＬＥＤ１９が装着される部分には、水平面２９に対して傾斜した傾斜装着面３０が形成されている。従って、この傾斜装着面３０に装着されるＬＥＤ１９における光の中心軸Ａは、水平面２９に装着されるＬＥＤ１９における光の中心軸Ａに対して相対的に傾けられている。
【００３８】
傾斜装着面３０は、各基板１８の周縁部のうち隣接する基板１８と対向する部分、つまり隣接する領域２２との間の境界線２３に面する部分に形成されており、水平面２９側（隣接する領域２２とは反対側）から端縁側（隣接する領域２２側）にかけて下り勾配となる傾斜をもって形成されている。傾斜装着面３０は、基板１８の周縁のうち、境界線２３に面する部分の全域にわたって形成され、基板１８の短辺方向や長辺方向に沿って連続する傾斜面として形成されているので、そこに装着されるＬＥＤ１９、つまり境界線２３に面するＬＥＤ１９が全て光の中心軸Ａを傾けた姿勢とされる。従って、各基板１８に装着される各ＬＥＤ１９群のうち、境界線２３に面する各ＬＥＤ１９は、光の中心軸Ａが互いに隣接する領域２２側へ傾けられている。
【００３９】
各傾斜装着面３０の傾斜角度については、ほぼ同一に設定されているので、そこに装着される各ＬＥＤ１９の光の中心軸Ａの傾斜角度についても全てほぼ同一になっている。そして、境界線２３に面する各ＬＥＤ１９における光の中心軸Ａは、隣接するグループのＬＥＤ１９群における境界線２３に面するＬＥＤ１９の光の中心軸Ａと交差している。各傾斜装着面３０に装着されるとともに互いに隣接する各ＬＥＤ１９の中心軸Ａ同士の交差位置は、鉛直方向については光学部材１６と基板１８との間（図３では中央）に位置し、水平方向について境界線２３とほぼ一致している。また、各傾斜装着面３０に装着された各ＬＥＤ１９の中心軸Ａと、最もＬＥＤ１９寄りの光学部材１６の下面（ＬＥＤ１９との対向面）とが交差する位置は、そのＬＥＤ１９が属するグループに対して隣接するグループに属するＬＥＤ１９群の照射領域側に入り込む設定とされる。
【００４０】
各領域２２のＬＥＤ１９群のうち境界線２３に面するＬＥＤ１９について、図４に示す４つの領域２２を参照しつつ詳細に説明する。なお以下では各領域２２及びそれに属する基板１８、ＬＥＤ１９及び傾斜装着面３０を区別する場合には、図４に示す左上の領域に関するものの符号に添え字Ａを、同図左下の領域に関するものの符号に添え字Ｂを、同図右上の領域に関するものの符号に添え字Ｃを、同図右下の領域に関するものの符号に添え字Ｄを付し、区別せずに総称する場合には、符号に添え字を付さないものとする。また境界線２３に関して、領域２２Ａと領域２２Ｂとの境界線の符号に添え字ＡＢを、領域２２Ａと領域２２Ｃとの境界線の符号に添え字ＡＣを、領域２２Ｃと領域２２Ｄとの境界線の符号に添え字ＣＤを、領域２２Ｂと領域２２Ｄとの境界線の符号に添え字ＢＤを付し、区別せずに総称する場合には、符号に添え字を付さないものとする。また図４に示す矢線は、各ＬＥＤ１９の傾き方向を表している。
【００４１】
同図左上の基板１８Ａのうち境界線２３ＡＢに面する傾斜装着面３０Ａは、基板１８Ａの全長辺部分にわたって形成されるとともに、ここに装着されるＬＥＤ１９Ａは、全て照射される光の中心軸Ａが領域２２Ｂ側へ傾いた姿勢とされる。一方、基板１８Ａのうち境界線２３ＡＣに面する傾斜装着面３０Ａは、境界線２３ＡＢ及び境界線２３ＡＣの双方に面する（角位置の）ＬＥＤ１９Ａの装着部分を除いて基板１８Ａの短辺部分に形成され、ここに装着されるＬＥＤ１９Ａは、照射される光の中心軸Ａが領域２２Ｃ側へ傾いた姿勢とされる。
【００４２】
同図左上の基板１８Ｂのうち境界線２３ＢＤに面する傾斜装着面３０Ｂは、基板１８Ｂの全短辺部分にわたって形成されるとともに、ここに装着されるＬＥＤ１９Ｂは、全て照射される光の中心軸Ａが領域２２Ｄ側へ傾いた姿勢とされる。一方、基板１８Ｂのうち境界線２３ＡＢに面する傾斜装着面３０Ｂは、境界線２３ＡＢ及び境界線２３ＢＤの双方に面する（角位置の）ＬＥＤ１９Ｂの装着部分を除いて基板１８Ｂの長辺部分に形成され、ここに装着されるＬＥＤ１９Ｂは、照射される光の中心軸Ａが領域２２Ａ側へ傾いた姿勢とされる。
【００４３】
同図左上の基板１８Ｃのうち境界線２３ＡＣに面する傾斜装着面３０Ｃは、基板１８Ｃの全短辺部分にわたって形成されるとともに、ここに装着されるＬＥＤ１９Ｃは、全て照射される光の中心軸Ａが領域２２Ａ側へ傾いた姿勢とされる。一方、基板１８Ｃのうち境界線２３ＣＤに面する傾斜装着面３０Ｃは、境界線２３ＡＣ及び境界線２３ＣＤの双方に面する（角位置の）ＬＥＤ１９Ｃの装着部分を除いて基板１８Ｃの長辺部分に形成され、ここに装着されるＬＥＤ１９Ｃは、照射される光の中心軸Ａが領域２２Ｄ側へ傾いた姿勢とされる。
【００４４】
同図左上の基板１８Ｄのうち境界線２３ＣＤに面する傾斜装着面３０Ｄは、基板１８Ｄの全長辺部分にわたって形成されるとともに、ここに装着されるＬＥＤ１９Ｄは、全て照射される光の中心軸Ａが領域２２Ｃ側へ傾いた姿勢とされる。一方、基板１８Ｄのうち境界線２３ＢＤに面する傾斜装着面３０Ｄは、境界線２３ＢＤ及び境界線２３ＣＤの双方に面する（角位置の）ＬＥＤ１９Ｄの装着部分を除いて基板１８Ｄの短辺部分に形成され、ここに装着されるＬＥＤ１９Ｄは、照射される光の中心軸Ａが領域２２Ｂ側へ傾いた姿勢とされる。
【００４５】
このように、各基板１８の角位置に配されるとともに、２本の境界線２３に面する４つのＬＥＤ１９は、その光の中心軸Ａが反時計回り方向に隣り合う領域２２側に傾けられている。なお、傾斜装着面３０を変更することで、２本の境界線２３に面する４つのＬＥＤ１９が、時計回り方向に隣り合う領域２２側に傾く設定とすることも可能である。
【００４６】
本実施形態は以上のような構造であり、続いてその作用を説明する。液晶表示装置１０に画像を表示させるには、各ＬＥＤ１９群をそれぞれ対応する各調光点灯回路２０によって点灯させるとともに、液晶パネル１１の表示駆動回路（ソース配線及びゲート配線など）に対して外部回路から表示に必要な信号を供給する。
【００４７】
各ＬＥＤ１９から発せられた光は、各光学部材１６を順次に透過する過程で均一な面状の光に変換された状態で液晶パネル１１に対して照射される。このとき、液晶パネル１１内の液晶１１ｂは、各配線に信号が付与されて電圧（電界）が印加されるのに伴って配向状態が変化しているので、それに伴って液晶１１ｂを通る光の偏光状態が変化され、もって液晶パネル１１に所定の画像が表示される。
【００４８】
ところで、液晶表示装置１０の使用環境などによっては、例えばバックライト１２の基板１８やケース１４の温度分布に偏りが生じる場合があり、そうなると各領域２２（各基板１８）間で温度差が生じ、それに起因して各領域２２のＬＥＤ１９群の平均輝度や平均色度に格差が生じるおそれがある。
【００４９】
ところが、調光点灯回路２０では、図５に示すように、各領域２２に対応して配された各受光素子２８により各ＬＥＤ１９群の輝度や色度を検出するとともに、受光信号処理回路２７では受光素子２８からの信号を処理して駆動回路２６へと処理した信号を出力し、駆動回路２６により入力された信号に基づいてＬＥＤ１９群に対して供給する電流量を調整することができる。このように、調光点灯回路２０により各グループのＬＥＤ１９群を個別にフィードバック制御してＬＥＤ１９群の発光状態を調整することで、各グループのＬＥＤ１９群間で生じる輝度や色度の格差を極力解消するようにしている。
【００５０】
ところが、上記したようにフィードバック制御を行っていても、例えば各領域２２に配した各受光素子２８の感度がばらつくなど様々な理由により、各グループのＬＥＤ１９群の輝度や色度、つまり発光状態に僅かながらも格差が生じてしまうことがあり、それを完全に解消するのは困難である。そして、各ＬＥＤ１９群の輝度や色度の格差に起因して隣接する領域２２間の境界付近に輝度ムラ（明暗ムラ）や色ムラが縞のように見えるなど、ムラが目立つことが懸念される。
【００５１】
ところが、本実施形態では、図３及び図４に示すように、グループ化されたＬＥＤ１９群のうち各領域２２の境界付近のＬＥＤ１９が、傾斜装着面３０により照射する光の中心軸Ａを隣接する領域２２側へ傾けた姿勢とされている。詳しくは、各領域２２間の各境界線２３に面するとともに互いに対向（隣接）するＬＥＤ１９同士は、互いに相手の領域２２側へその光の中心軸Ａが傾けられている。従って、その中心軸Ａが傾けられたＬＥＤ１９による照射領域と、隣接するグループに属するＬＥＤ１９群による照射領域との重なり範囲については、仮に境界線２３に面する各ＬＥＤ１９が、他のＬＥＤ１９（境界線２３に面しないＬＥＤ１９）と同様に光の中心軸Ａを鉛直方向に一致させた場合と比較すると、ＬＥＤ１９における光の中心軸Ａを傾けた分だけ拡張することができる。
【００５２】
このように隣接する各グループに属する各ＬＥＤ１９群による照射領域同士の重なり範囲が拡張されているので、各ＬＥＤ１９群間において発光状態の格差が生じたとしても、境界付近において隣接する領域２２間の光の照射状態の変化を緩やかなものとすることができ、境界付近のムラをぼかすことができる。これにより、隣接する領域２２間の境界付近におけるムラを目立ち難くすることができ、もって液晶表示装置１０の表示品位の向上を図ることができる。
【００５３】
以上説明したように本実施形態によれば、グループ化したＬＥＤ１９群のうち各領域２２の境界付近に存するＬＥＤ１９については、そのＬＥＤ１９から照射される光の中心軸Ａが隣接する領域２２側へ傾けられているから、そのＬＥＤ１９による照射領域と、隣接するグループのＬＥＤ１９群による照射領域との重なり範囲を増やすことができ、もって境界付近に生じるムラを目立ち難くすることができる。
【００５４】
また、輝度ムラを解消するには、液晶パネル１１とＬＥＤ１９群との間の距離を大きくしたり、光学部材１６の数や種類を増やすことが考えられるが、本実施形態によればその必要がない。逆に言うと、本実施形態によれば、液晶パネル１１とＬＥＤ１９群との間の距離を縮めることができてバックライト１２や液晶表示装置１０の薄型化（小型化）を図ることができるとともに、光学部材１６の数や種類を削減して低コスト化を図ることができる。
【００５５】
また、光源を点状の発光素子であるＬＥＤ１９としたものでは、仮に光源として線状の光源を用いた場合と比較して、使用するＬＥＤ１９の数が多くなり勝ちであるので、特に有効である。
【００５６】
また、ＬＥＤ１９群のうち、各領域２２の境界線２３に面して配されるＬＥＤ１９は、その中心軸Ａが隣接する領域２２側へ傾けられているから、境界付近に生じるムラをより有効にぼかすことができる。
【００５７】
また、各領域２２の境界付近に存するとともに互いに異なる調光点灯回路２０により点灯される各ＬＥＤ１９は、その中心軸Ａが互いに相手の領域２２側へ傾けられているから、隣接するグループのＬＥＤ１９群同士による照射領域の重なり範囲をより拡張でき、境界付近に生じるムラをより有効にぼかすことができる。
【００５８】
また、各領域２２の境界付近に存するとともに互いに異なる調光点灯回路２０により点灯されるＬＥＤ１９における中心軸Ａの傾き角度がほぼ同一に設定されているから、隣接するグループのＬＥＤ１９群同士による照射領域の重なり範囲を、境界線２３を挟んで対称にすることができ、境界付近に生じるムラをさらに有効にぼかすことができる。
【００５９】
また、各ＬＥＤ１９が基板１８上に設置されるとともに、この基板１８におけるＬＥＤ装着面１８ａには、各領域２２の境界付近に存するＬＥＤ１９を傾けた姿勢で装着可能な傾斜装着面３０が形成されているから、ＬＥＤ１９自体の構造を変更することなく、そのＬＥＤ１９における光の中心軸Ａを傾けることができる。各基板１８に設置するＬＥＤ１９が１種類で済むので、ＬＥＤ１９を基板１８に設置する際に、ＬＥＤ１９を区別する必要がなく、作業が容易になるなどの効果が得られる。
【００６０】
また、各領域２２が全ＬＥＤ１９の配設領域を格子状に分割する設定とされるとともに、各領域２２間の境界が格子状をなすものでは、境界付近のムラが目立ち易くなるものの、境界付近に存するＬＥＤ１９が、隣接するグループの調光点灯回路２０によって点灯されるから、特に有効である。
【００６１】
また、調光点灯回路２０は、ＬＥＤ１９から照射される光を受光する受光素子２８を備えるとともに、受光素子２８からの信号に基づいて各グループに属するＬＥＤ１９群の発光状態が各グループ間で均一化するようにＬＥＤ１９群を駆動する調光機能を有しているから、各ＬＥＤ１９群の発光状態に基づいて受光素子２８から出力される信号に基づいて各ＬＥＤ１９群を制御することで、各グループ間における発光状態の均一化を図ることができ、もって境界付近にムラが発生するのを抑制することができる。
【００６２】
また、受光素子２８は、各グループ毎に対応して複数設けられているから、各グループ毎に設けた受光素子２８により各ＬＥＤ１９群の発光状態を個別に検出することができる。
【００６３】
また、受光素子２８が各ＬＥＤ１９に対してその照射側に対向して配される光学部材１６に取り付けられているから、ＬＥＤ１９群の発光状態を良好に検出することができる。
【００６４】
＜実施形態２＞
本発明の実施形態２を図６によって説明する。この実施形態２では、境界線２３に面するＬＥＤ３１について構造を変更したものを示す。なおこの実施形態２では、上記した実施形態１と同様の構造、作用及び効果について重複する説明は省略する。
【００６５】
各ＬＥＤ１９，３１の発光部には、図６に示すように、チップ（図示せず）から発せられる光を透過するとともにその光を方向付けるためのレンズ１９ａ，３１ａが備えられている。レンズ１９ａ，３１ａは、チップに対して上方、すなわち照射側に配されるとともに、チップを上方から取り囲む（覆う）略半球状（ドーム状）に形成されている。
【００６６】
ＬＥＤ１９，３１群のうち、境界線２３に面しない各ＬＥＤ１９におけるレンズ１９ａは、対称形状とされており、照射される光の中心軸Ａが、ＬＥＤ１９を水平な面に設置したときに鉛直方向と一致する設定とされる。これに対し、境界線２３に面して配される各ＬＥＤ３１におけるレンズ３１ａは、非対称形状とされており、照射される光の中心軸Ａが、ＬＥＤ３１を水平な面に設置したときに鉛直方向に対して傾斜する設定とされる。
【００６７】
一方、ＬＥＤ１９，３１群が設置される基板１８´におけるＬＥＤ装着面１８ａ´は、その全域が水平面２９´とされている。そして、境界線２３に面する各ＬＥＤ３１は、その光の中心軸Ａが隣接する領域２２側へ傾くようレンズ３１ａの向きを合わせた状態で装着されている。
【００６８】
以上のように、レンズ３１ａの形状を非対称形状とすることで照射される光の中心軸Ａを傾けるようにしたＬＥＤ３１を、境界付近に配することにより、隣接するグループの各ＬＥＤ１９，３１群の照射領域同士の重なり範囲を拡張することができる。
【００６９】
＜実施形態３＞
本発明の実施形態３を図７によって説明する。この実施形態３では、境界線２３に面するＬＥＤ３２について構造を変更したものの他の例を示す。なおこの実施形態３では、上記した実施形態１と同様の構造、作用及び効果について重複する説明は省略する。
【００７０】
各ＬＥＤ１９，３２の発光部には、図７に示すように、チップ１９ｂ，３２ａに対して下方、つまり照射側（レンズ側）とは反対側に配されるとともに、光を照射側へ向けて反射するための反射体１９ｃ，３２ｂが備えられている。反射体１９ｃ，３２ｂは、チップ１９ｂ，３２ａが配される部分が最も凹んだ略半球状に形成されている。
【００７１】
ＬＥＤ１９，３２群のうち、境界線２３に面しない各ＬＥＤ１９における反射体１９ｃは、対称形状とされており、照射される光の中心軸Ａが、ＬＥＤ１９を水平な面に設置したときに鉛直方向と一致する設定とされる。これに対し、境界線２３に面して配される各ＬＥＤ３２における反射体３２ｂは、非対称形状とされており、照射される光の中心軸Ａが、ＬＥＤ３２を水平な面に設置したときに鉛直方向に対して傾斜する設定とされる。
【００７２】
一方、ＬＥＤ１９，３２群が設置される基板１８´におけるＬＥＤ装着面１８ａ´は、その全域が水平面２９´とされている。そして、境界線２３に面する各ＬＥＤ３２は、その光の中心軸Ａが隣接する領域２２側へ傾くよう反射体３２ｂの向きを合わせた状態で装着されている。
【００７３】
以上のように、反射体３２ａの形状を非対称形状とすることで照射される光の中心軸Ａを傾けるようにしたＬＥＤ３２を、境界付近に配することにより、隣接するグループの各ＬＥＤ１９，３２群の照射領域同士の重なり範囲を拡張することができる。
【００７４】
＜実施形態４＞
本発明の実施形態４を図８によって説明する。この実施形態２では、受光素子４１の数を１つに変更した場合を例示する。
【００７５】
調光点灯回路４０は、図８に示すように、各グループに属するＬＥＤ１９群から発せられる光を受光可能な受光素子４１と、受光素子４１に接続された受光信号処理回路４２と、受光信号処理回路４２に接続されるとともに各グループに属するＬＥＤ１９群にそれぞれ接続される駆動回路４３とから構成される。
【００７６】
受光素子４１は、本実施形態においては９つのグループの各ＬＥＤ１９群に対して１つだけ用意されているため、受光素子４１と各グループに属するＬＥＤ１９群との間の距離は、グループによって異なる場合がある。この距離の格差によって、仮に各ＬＥＤ１９群の発光状態が同一であったとしても、受光素子４１による受光量が各グループによって異なる場合がある。
【００７７】
そこで、受光信号処理回路４２では、上記した受光素子４１と各ＬＥＤ１９群との距離の格差を補正できるようになっている。受光信号処理回路４２は、受光回路４４と、ＣＰＵ４５と、距離補正係数記憶部４６と、補正量記憶部４７とから構成される。受光回路４４は、受光素子４１から入力された信号に応じた信号をＣＰＵ４５に出力する。距離補正係数記憶部４６は、受光素子４１と各グループのＬＥＤ１９群との距離に応じた距離補正係数をＣＰＵ４５に出力する。距離補正係数は、上記距離の格差に対応して各グループのＬＥＤ１９群毎に設定されており、この距離補正係数を受光素子４１により検出された実測受光量に掛け合わせることで、各ＬＥＤ１９群に対して等距離の位置に配置した仮想的な受光素子によって検出したような疑似受光量が得られるよう設定されている。これにより、受光素子４１とＬＥＤ１９群との距離の格差による受光量のずれを是正することができる。
【００７８】
ＣＰＵ４５は、受光回路４４からの信号と、距離補正係数記憶部４６からの距離補正係数とに基づいて、距離格差を排除した擬似受光量を演算するとともに、その擬似受光量を目標値に至らせるのに必要な補正量を演算する。ここで、目標値とは、各グループにおけるＬＥＤ１９群間の輝度や色度が均一になる値である。補正量記憶部４７は、ＣＰＵ４５から出力された補正量を各グループに対応付けて記憶する。なお、各補正量は、液晶表示装置１０の使用時間が所定時間（例えば１００時間）経過する度に更新されるようになっている。
【００７９】
各グループに対応した補正量の更新は、次のようにして行われる。各グループに属するＬＥＤ１９群を順次に発光させ、その度に受光素子４１にて各ＬＥＤ１９群からの光を受光する。既述した方法により、得られた実測受光量に基づいてそのＬＥＤ１９群における疑似受光量及び補正量を順次に演算し、得られた補正量を補正量記憶部４７にそのグループに対応付けて記憶させる。
【００８０】
そして、各グループに属するＬＥＤ１９群を点灯させる駆動回路４３は、受光信号処理回路４２から出力された各補正量に基づいて各ＬＥＤ１９群に供給する電流量を調整する。これにより各ＬＥＤ１９群間の輝度及び色度を均一化できるようになっている。
【００８１】
このように本実施形態によれば、実施形態１のように各グループ毎に受光素子２８を個別に設置したものと比較すると、受光素子４１の数を削減することができ、低コスト化を図ることができる。
【００８２】
なお、受光素子４１の数は、１つに限らず、グループの総数（本実施形態では９つ）を越えない範囲で複数設けるようにしてもよい。その場合は、各グループに属するＬＥＤ１９群を順次に点灯させる際に、複数の受光素子４１によって同時に受光することができる。これにより、測定精度の向上を図ることができる。
【００８３】
＜他の実施形態＞
本発明は上記記述及び図面によって説明した実施形態に限定されるものではなく、例えば次のような実施形態も本発明の技術的範囲に含まれる。
【００８４】
（１）ＬＥＤ１９−１群のうち、２本の境界線２３−１の双方に面するＬＥＤ１９−１Ａについては、図９に示すように、その光の中心軸を斜向かいに隣接する領域２２−１側に傾けるようにしてもよい（図９では、２本の境界線２３−１の双方に面するＬＥＤ１９−１Ａが装着される傾斜装着面３０−１Ａが、斜向かいの領域２２−１側へ傾斜する勾配を持つ設定としたものを図示する）。このようにすれば、ＬＥＤ１９−１Ａの照射領域と、隣接する３つの領域２２−１のＬＥＤ１９−１群の照射領域との重なり範囲を拡張することができる。
【００８５】
（２）上記した実施形態では、境界線に面するＬＥＤについてのみ、光の中心軸を傾けたものを例示したが、図１０に示すように、境界線２３−２に面するＬＥＤ１９−２Ａと、そのＬＥＤ１９−２Ａに対して境界線２３−２とは反対側に配されたＬＥＤ１９−２Ｂ（境界線２３−２から２番目の列のＬＥＤ１９−２Ｂ）とについて、光の中心軸Ａを隣接する領域２２−２側へ傾ける設定としても構わない。その場合、境界線２３−２に面するＬＥＤ１９−２Ａの中心軸Ａの傾斜角度と、２番目の列のＬＥＤ１９−２Ｂの中心軸Ａの傾斜角度とに差をつけるようにしてもよい（図１０では、傾斜装着面３０−２Ａ，３０−２Ｂを２段階の傾斜面とし、２番目の列に対応した傾斜装着面３０−２Ｂの方が傾き角度が小さい設定を図示する）。
【００８６】
（３）上記した（２）以外にも、境界線から３番目以降の列のＬＥＤについてもその光の中心軸を隣接する領域側へ傾けるようにしてもよい。
【００８７】
（４）上記した実施形態では、境界線に面するＬＥＤについて、光の中心軸を傾けたものを示したが、図１１に示すように、境界線２３−４から２番目の列のＬＥＤ１９−４Ａについて、光の中心軸Ａを傾けるようにし、３番目以降のＬＥＤ１９−４Ｂや境界線２３−４に面するＬＥＤ１９−４Ｃについて中心軸Ａを傾けない設定としてもよい（図１１では、ＬＥＤ装着面１８ａ−４のうち、２番目の列に対応する部分に傾斜装着面３０−４を形成し、他の部分を水平面２９−４とした設定を図示する）。なお、２番目の列のＬＥＤに限らず、３番目以降のＬＥＤについても上記と同様に傾斜させてもよい。
【００８８】
（５）上記した実施形態では、境界線に面するＬＥＤの全てが光の中心軸を傾けたものを示したが、図１２に示すように、中心軸を傾けたＬＥＤ１９−５Ａと、中心軸を傾けないＬＥＤ１９−５Ｂとが交互に並ぶ設定としてもよい（図１２では、基板１８−５の端部において傾斜装着面３０−５と水平面２９−５とが交互に並ぶ設定としたものを図示する）。このとき、中心軸を傾けたＬＥＤ１９−５Ａと傾けないＬＥＤ１９−５Ｂとが、境界線２３−５を挟んで向かい合う設定としてもよい。
【００８９】
（６）上記した実施形態では、境界線を挟んで対向するＬＥＤ群同士が互いに中心軸を相手の領域側へ傾けた設定としたものを示したが、図１３に示すように、隣接する領域２２−５Ａ，２２−５Ｂのうち一方の領域２２−５ＡにおけるＬＥＤ１９−５Ａのみが中心軸を傾けた設定とされ、他方の領域２２−５ＢにおけるＬＥＤ１９−５Ｂが傾けない設定とされたものも本発明に含まれる（図１３では、一方の基板１８−５Ａにのみ傾斜装着面３０−５を設けた場合を図示する）。
【００９０】
（７）上記した実施形態では、各ＬＥＤが基板のＬＥＤ装着面の縦方向及び横方向に沿って格子状に配置されたものを例示したが、図１４に示すように、各ＬＥＤ１９−７群が基板１８−７のＬＥＤ装着面１８ａ−７の縦方向及び横方向に対して斜めに並ぶものも本発明に含まれる。
【００９１】
（８）上記した（１）〜（７）では、ＬＥＤにおける光の中心軸を傾ける手段として、傾斜装着面についてのみ図示したが、実施形態２，３のようにＬＥＤのレンズや反射体の形状を変更することにより、光の中心軸を傾けるようにしてもよい。
【００９２】
（９）ＬＥＤにおける光の中心軸の傾斜角度については、任意に変更することができる。例えば、ＬＥＤの中心軸と光学部材の下面との交差位置が隣接するグループに属するＬＥＤ群の照射領域に入り込まない設定や、境界線と一致する設定としてもよい。
【００９３】
（１０）また、互いに隣接する各ＬＥＤの中心軸同士の交差位置が、鉛直方向について光学部材とＬＥＤとの間ではない設定（例えば光学部材中とした設定）としてもよい。
【００９４】
（１１）また、互いに隣接する各ＬＥＤにおける中心軸を傾けるにあたり、互いの傾斜角度を同一に設定する必要はなく、中心軸同士の交差位置が境界線と一致していないものも本発明に含まれる。
【００９５】
（１２）上記した実施形態では、各領域が基板のＬＥＤ装着面を格子状に分割する設定とされたものを例示したが、図１５に示すように、各領域２２−１２が全ＬＥＤの配設領域を縦方向に沿って分割する設定としてもよい。
【００９６】
（１３）また、図１６に示すように、各領域２２−１３が全ＬＥＤの配設領域を横方向に沿って分割する設定としてもよい。
【００９７】
（１４）各領域の個々の形状については、任意に変更可能であり、例えば正方形、斜方形、三角形などに設定することも可能である。また、領域の数についても任意に変更可能である。
【００９８】
（１５）上記した実施形態では、受光素子が光学部材に取り付けられたものを例示したが、図１７に示すように、隣接する支持部２１−１５間にワイヤＷを架け渡すとともに、このワイヤＷに受光素子２８−１５を取り付けるようにしてもよい。その他にも、受光素子の配設位置は任意に変更可能であり、例えばバックライトのケースにおける側部の内周面に取り付けるようにしてもよい。また１つの領域あたりの受光素子の数についても任意に変更可能である。
【００９９】
（１６）上記した実施形態では、Ｒ，Ｇ，Ｂの３種類のチップを備えるＬＥＤを用いた場合を例示したが、例えば単一のチップ（具体的には青色発光のチップや紫外発光のチップ）を備え、蛍光体により全体として白色発光するものを用いるようにしてもよい。その他にも、全体として白色発光するＬＥＤを用いることができる。
【０１００】
（１７）さらには、Ｒ，Ｇ，Ｂの単色発光するＬＥＤを３種類用いるようにしたものも本発明に含まれる。また、白色やＲ，Ｇ，Ｂ以外で単色発光するＬＥＤを用いることも可能である。
【０１０１】
（１８）上記した実施形態では、ＬＥＤ群を点灯させるための点灯回路が調光機能を有する調光点灯回路とされた場合を例示したが、調光機能を有しない点灯回路を用いたものも本発明に含まれる。その場合の点灯回路は、図４にて示した受光素子２９や受光信号処理回路２８を省略した回路構成となる。
【０１０２】
（１９）上記した実施形態では、点状の発光素子としてＬＥＤを用いた場合を例示したが、例えばＥＬ（Ｅｌｅｃｔｒｏ  Ｌｕｍｉｎｅｓｃｅｎｃｅ）や半導体レーザーなど、他の種類の点状の発光素子を用いるようにしてもよい。
【０１０３】
（２０）上記した実施形態では、光源として点状の発光素子を例示したが、放電管（冷陰極管や熱陰極管）などの線状の光源を用いるようにしてもよい。
【０１０４】
（２１）また、ＴＦＴ以外のスイッチング素子を用いた液晶表示装置にも本発明は適用可能である。またカラー表示する液晶表示装置以外にも、白黒表示する液晶表示装置にも本発明は適用可能である。
【０１０５】
（２２）また、液晶表示装置以外にも、液晶以外でバックライトを用いる他の種類の表示装置にも本発明は適用可能である。
【図面の簡単な説明】
【０１０６】
【図１】本発明の実施形態１に係る液晶表示装置の断面図
【図２】ＬＥＤユニットの平面図
【図３】ＬＥＤユニットの要部拡大断面図
【図４】ＬＥＤユニットの要部拡大平面図
【図５】調光点灯回路のブロック図
【図６】本発明の実施形態２に係るＬＥＤユニットの要部拡大断面図
【図７】本発明の実施形態３に係るＬＥＤユニットの要部拡大断面図
【図８】本発明の実施形態４に係る調光点灯回路のブロック図
【図９】他の実施形態（１）に係るＬＥＤユニットの要部拡大平面図
【図１０】他の実施形態（２）に係るＬＥＤユニットの要部拡大断面図
【図１１】他の実施形態（４）に係るＬＥＤユニットの要部拡大断面図
【図１２】他の実施形態（５）に係るＬＥＤユニットの要部拡大平面図
【図１３】他の実施形態（６）に係るＬＥＤユニットの要部拡大平面図
【図１４】他の実施形態（７）に係るＬＥＤユニットの要部拡大平面図
【図１５】他の実施形態（１２）に係るＬＥＤユニットの平面図
【図１６】他の実施形態（１３）に係るＬＥＤユニットの平面図
【図１７】他の実施形態（１５）に係るＬＥＤユニットの要部拡大断面図
【符号の説明】
【０１０７】
１０…液晶表示装置（表示装置）
１１…液晶パネル（表示パネル）
１２…バックライト（照明装置）
１４…ケース
１５…ＬＥＤユニット（光源ユニット）
１６…光学部材
１８ａ…ＬＥＤ装着面（光源装着面）
１９，３１，３２…ＬＥＤ（光源）
２０…調光点灯回路
２２…領域
２３…境界線
２８…受光素子
３０…傾斜装着面
３１ａ…レンズ
３２ａ…チップ（発光体）
３１ｂ…反射体
Ａ…中心軸
【図１】
2009087538.tif 000003
【図２】
2009087538.tif 000004
【図３】
2009087538.tif 000005
【図４】
2009087538.tif 000006
【図５】
2009087538.tif 000007
【図６】
2009087538.tif 000008
【図７】
2009087538.tif 000009
【図８】
2009087538.tif 000010
【図９】
2009087538.tif 000011
【図１０】
2009087538.tif 000012
【図１１】
2009087538.tif 000013
【図１２】
2009087538.tif 000014
【図１３】
2009087538.tif 000015
【図１４】
2009087538.tif 000016
【図１５】
2009087538.tif 000017
【図１６】
2009087538.tif 000018
【図１７】
2009087538.tif 000019